(57)【要約】【課題】撮像装置が三脚に装着され、筐体を手で保持していない状態の時、タッチパネルの感度が低下することを防止する手段を提供すること。【解決手段】撮像装置であって、静電容量方式タッチパネルと、前記タッチパネルを備えた表示装置と、前記撮像装置に三脚が装着されたことを検出する三脚検出手段を有し、前記三脚検出手段によって前記撮像装置に三脚が装着されたことを検出した場合、前記撮像装置の筐体を保持してタッチ操作を行うことを使用者に促すガイド表示を前記表示装置に表示することを特徴とする。【選択図】図１
2017175307.tif 000002
【特許請求の範囲】
【請求項１】
撮像装置（１００）であって、静電容量方式タッチパネル（１１５）と、前記タッチパネル（１１５）を備えた表示装置（１１２）と、前記撮像装置（１００）に三脚（４００）が装着されたことを検出する三脚検出手段（１１６）を有し、前記三脚検出手段（１１６）によって前記撮像装置（１００）に三脚（４００）が装着されたことを検出した場合、前記撮像装置（１００）の筐体を保持してタッチ操作を行うことを使用者に促すガイド表示を前記表示装置（１１２）に表示することを特徴とする撮像装置（１００）。
【請求項２】
前記タッチパネル（１１５）を用いた操作機能が無効に設定されている場合、前記三脚検出手段（１１６）で三脚（４００）が装着されたことを検出しても前記撮像装置（１００）を保持するよう促すガイド表示は行わないことを特徴とする請求項１に記載の撮像装置（１００）。
【請求項３】
前記三脚検出手段（１１６）で前記撮像装置（１００）に三脚（４００）が装着されたことを検出し、筐体を保持するよう促すガイドを表示している状態において、前記タッチパネル（１１５）へのタッチ操作が検出された場合、前記ガイドを非表示とすることを特徴とする請求項１に記載の撮像装置（１００）。
【請求項４】
前記三脚検出手段（１１６）で前記撮像装置（１００）に三脚（４００）が装着されたことを検出し、筐体を保持するよう促すガイドを表示している状態において、歪み検出手段（１１８）によって、使用者が筐体を保持したことが検出された場合、前記ガイドを非表示とすることを特徴とする請求項１に記載の撮像装置（１００）。
【請求項５】
前記三脚検出手段（１１６）で前記撮像装置（１００）に三脚（４００）が装着されたことを検出し、筐体を保持するよう促すガイドを表示している状態において、所定時間が経過したら前記ガイドを非表示とすることを特徴とする請求項１に記載の撮像装置（１００）。
【請求項６】
撮像装置（１００）であって、静電容量方式タッチパネル（１１５）と、前記タッチパネル（１１５）を備えた表示装置（１１２）と、前記撮像装置（１００）に振動が発生したかを検出する振動検出手段（１１７）を有し、前記振動検出手段（１１７）によって前記撮像装置（１００）に振動が発生したことを検出した場合、前記撮像装置（１００）の筐体を保持してタッチ操作を行うことをユーザーに促すガイド表示を前記表示装置（１１２）に表示することを特徴とする撮像装置（１００）。
【請求項７】
前記タッチパネル（１１５）を用いた操作機能が無効に設定されている場合、前記振動検出手段（１１７）で前記撮像装置（１００）に振動が発生したことを検出しても前記撮像装置（１００）を保持するよう促すガイド表示は行わないことを特徴とする請求項６に記載の撮像装置（１００）。
【請求項８】
前記振動検出手段（１１７）で前記撮像装置（１００）に振動が発生したことを検出し、筐体を保持するよう促すガイドを表示している状態において、前記タッチパネル（１１５）へのタッチ操作が検出された場合、前記ガイドを非表示とすることを特徴とする請求項６に記載の撮像装置（１００）。
【請求項９】
前記振動検出手段（１１７）で前記撮像装置（１００）に振動が発生したことを検出し、筐体を保持するよう促すガイドを表示している状態において、歪み検出手段（１１８）によって、使用者が筐体を保持したことが検出された場合、前記ガイドを非表示とすることを特徴とする請求項６に記載の撮像装置（１００）。
【請求項１０】
前記振動検出手段（１１７）で前記撮像装置（１００）に振動が発生したことを検出し、筐体を保持するよう促すガイドを表示している状態において、所定時間が経過したら前記ガイドを非表示とすることを特徴とする請求項６に記載の撮像装置（１００）。
【発明の詳細な説明】
【技術分野】
【０００１】
本発明は、静電容量方式タッチパネルを備えた表示装置を有する撮像装置に関し、特に絶縁体上に置かれた時のタッチパネル感度低下防止の手法に関する。
【背景技術】
【０００２】
近年、タッチパネルを備えた電子機器が増えてきている。そのような電子機器において、タッチパネルを使用することで操作性を向上させるような様々な手法が提案されている。
【０００３】
特許文献１には、撮像装置の上面や背面を覆うような、タッチパネル付きフレキシブルディスプレイにレリーズボタンなどを表示させ、そのレリーズボタンに置かれた指によるタッチパネル操作の仕方によってレリーズ動作やズーム動作などを切り替える手法が開示されている。
【先行技術文献】
【特許文献】
【０００４】
【特許文献１】特開２０１０−３５１０７号公報
【発明の概要】
【発明が解決しようとする課題】
【０００５】
しかしながら、上述の特許文献１に開示された従来技術では、静電容量方式タッチパネルを用いた機器の場合、モールド材質でできている三脚のような絶縁体上で、装置の筐体を手で持たない状態では、タッチパネルの感度が下がってしまうという課題がある。絶縁体上で、装置の筐体を手で持たない状態では、図６に示すように、人と筐体間の容量が発生せず、その分のセンサと指の間の容量に流れる電流が減少するため、センサ出力が減ってしまう。それによりタッチパネルの感度が低下し、タッチしても未検知となってしまう可能性がある。
【０００６】
そこで、本発明の目的は、絶縁体上に装置が置かれた際にタッチパネルの感度低下を防止することを可能にした撮像装置の制御方法を提供することにある。
【課題を解決するための手段】
【０００７】
上記の目的を達成するために、本発明は、
撮像装置であって、静電容量方式タッチパネルと、前記タッチパネルを備えた表示装置と、前記撮像装置に三脚が装着されたことを検出する三脚検出手段を有し、前記三脚検出手段によって前記撮像装置に三脚が装着されたことを検出した場合、前記撮像装置の筐体を保持してタッチ操作を行うことを使用者に促すガイドを前記表示装置に表示することを特徴とする。
【発明の効果】
【０００８】
本発明によれば、静電容量方式タッチパネル、及びそれを備えた表示装置を有する撮像装置において、絶縁体上に設置された時にタッチパネル感度が低下することによってタッチ検出されなくなることを解消することができる。
【図面の簡単な説明】
【０００９】
【図１】実施例１におけるフローチャート
【図２】実施例２におけるフローチャート
【図３】実施例におけるガイド表示を示す図
【図４】実施例における撮像装置の構成を示すブロック図
【図５】実施例における撮像装置を底面から見た図
【図６】絶縁体上で撮像装置の筐体を手で保持した時と保持していない場合でのタッチ操作検出の差異を示す図
【発明を実施するための形態】
【００１０】
以下に、本発明の好ましい実施の形態を、添付の図面に基づいて詳細に説明する。
【００１１】
図４は本発明の各実施形態を適用可能な撮像装置１００の構成の一例を示す。また、図５は撮像装置１００を底面側から見た図である。
【００１２】
図４において、１０１は撮像素子であり、レリーズスイッチ１０７を押すことで、レンズ２００などを介して結像された、被写体の光学像を電気信号に変換する。
【００１３】
１０２は撮像素子１０１のアナログ信号出力をデジタル信号に変換するＡ／Ｄ変換部であり、Ａ／Ｄ変換されたデジタル信号は、メモリ制御部１０４及びシステム制御部１０５により制御され、メモリ１０６に格納される。
【００１４】
１０３は画像処理部であり、前記デジタル信号のデータ或いはメモリ制御部１０４からのデータに対して所定の画素補間処理や色変換処理を行う。
【００１５】
１０４はメモリ制御部であり、Ａ／Ｄ変換部１０２、画像処理部１０３、システム制御部１０５、メモリ１０６、表示装置１１２間のデータの送受を制御する。
【００１６】
１０５は撮像装置１００全体を制御するシステム制御部である。
【００１７】
１０６はメモリであり、システム制御部１０５のプログラムスタック領域、ステータス記憶領域、演算用領域、ワーク用領域、画像表示データ用領域が確保されている。各種の演算は、メモリ１０６の演算用領域を利用し、システム制御部１０５により実行される。
【００１８】
１０８、１０９はモード切替スイッチ及び、操作部であり、システム制御部１０５に各種の動作指示を入力するための操作手段である。モード切替スイッチ１０８は、システム制御部１０５の動作モードを静止画記録モード、動画記録モード、再生モード等のいずれかに切り替える。静止画記録モードに含まれるモードとして、オート撮影モード、マニュアルモード、撮影シーン別の撮影設定となる各種シーンモード、プログラムＡＥモード、撮像素子１０１から得られた撮像データをリアルタイムにスルー画像表示するライブビューモード等がある。モード切り替えスイッチ１０８で、静止画撮影モードに含まれるこれらのモードのいずれかに直接切り替えられる。あるいは、モード切り替えスイッチ１０８で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。操作部１０９の各操作部材は、表示装置１１２に表示される種々の機能アイコンを選択操作することなどにより、場面ごとに適宜機能が割り当てられ、各種機能ボタンとして作用する。
【００１９】
１１０は電気的に消去・記録可能な不揮発性メモリであり、例えばフラッシュメモリやＥＥＰＲＯＭ等が用いられる。不揮発性メモリ１１０には、撮影状態の保存や、撮像装置１００を制御するプログラム等が格納されている。
【００２０】
１１１はコンパクトフラッシュ（登録商標）やＳＤカードといった記録媒体に画像ファイル記録や読出を行うための外部着脱メモリ部である。
【００２１】
１１２は液晶ディスプレイ型の表示装置であり、システム制御部１０５の指示により、メモリ１０６の画像表示データ用領域に格納されたメニュー画面、または外部着脱メモリ部１１１に格納された静止画／動画ファイルを表示することが可能な表示部１１３とバックライト部１１４及び、タッチパネル部１１５で構成される。
【００２２】
１１５は表示装置１１１におけるタッチパネル部であり、本実施例では二次元平面状にセンサが設置され、指などの電導物体との間に発生する静電容量に流れる電流量よってタッチ判定を行う静電容量方式タッチパネルを用いる。
【００２３】
１１６は三脚検出部であり、メカスイッチやタッチセンサなどを用いる。撮像装置１００底面の三脚取り付け部１２０近くに設置され、三脚装着の有無を検出する。
【００２４】
１１７は振動検出部であり、例えば加速度センサを用いて、その出力変動の有無によって撮像装置１００に発生した振動を検出する。センサ出力が変動している時は、振動が発生しており、出力変動がなければ、振動は発生しておらず撮像装置１００は安定した状態であると判定する。
【００２５】
１１８は歪みセンサであり、設置された箇所の歪みの有無によって出力値が変化する。例えば撮像装置１００のグリップ部に設置することで、使用者が筐体を保持したことを検出することが可能である。
【実施例１】
【００２６】
以下、図１のフローチャートを参照して、本発明の第１の実施例による、タッチパネル１１５の感度低下の防止手法について説明する。
【００２７】
ステップＳ１０１では、三脚検出手段１１６によって撮像装置１００に三脚４００が装着されたかを判定する。三脚が装着されたと判定した場合はステップＳ１０２へと進む。三脚４００が装着されていないと判定された場合は、撮像装置１００は手で持たれており、タッチパネルの感度低下の恐れがないと考えられるため、そのまま動作を継続する。
【００２８】
ステップＳ１０２では、タッチ機能がＯＮになっているかを判定する。タッチ機能がＯＮに設定されている場合はステップＳ１０３へ進み、タッチ機能がＯＦＦに設定されている場合はタッチパネル１１５の感度低下防止の処理を行う必要がないため、そのまま動作を継続する。
【００２９】
ステップＳ１０３では、ステップＳ１０１及びＳ１０２にて、三脚４００の装着及びタッチ機能のＯＮが検出されたことによって、使用者に対して、タッチパネル１１５による操作を行う場合は筐体を保持するように促す、図３に示すようなガイド表示を表示装置１１２に表示する。
【００３０】
ステップＳ１０４では、ステップＳ１０３にて表示したガイドが表示された状態で、タッチ操作が検出されたかを判定する。使用者がガイド表示を見て筐体を保持していれば、タッチパネル１１５の感度は低下しないため、タッチ操作が検出されれば、筐体が保持されたことを判定することが可能である。ここでタッチ操作が検出され、使用者が筐体を保持したと判定された場合、ステップＳ１０４へ進む。
【００３１】
ステップＳ１０５では、ステップＳ１０４でタッチが検出され、使用者が筐体を保持したと判定されたことにより、ステップＳ１０３で表示したガイド表示を消し、設定されたモードに応じた通常の表示画面に戻る。
【００３２】
以上、実施例１による、静電容量方式タッチパネル１１５の感度低下防止の手法について説明した。
【００３３】
このように、三脚４００が装着された際にガイド表示を行い、使用者に筐体を保持してタッチ操作を行うよう促すことで、筐体を保持しないことによるタッチパネル１１５の感度低下を防止することが可能となる。
【００３４】
なお、ステップＳ１０４において、ガイド表示を消すためのトリガとしてタッチ検出の有無を使用したが、歪みセンサ１１８を使用することも可能である。歪みセンサ１１８の出力値が所定の閾値を越えた時、使用者が筐体を保持したと判定し、ガイド表示を消すようにしても良い。また、ステップＳ１０３のガイド表示後、所定時間が経過したらガイド表示を消す、というような時間制御にしても良い。
【実施例２】
【００３５】
以下、図２のフローチャートを参照して、本発明の第２の実施例による、タッチパネル１１５の感度低下の防止手法について説明する。
【００３６】
ステップＳ２０１では、振動検出部１１７によって、撮像装置１００が手持ち状態であるかを判定する。振動が検出されなければ、撮像装置１００は机などの上に置かれ安定した状態であり、使用者が筐体を保持してなければタッチパネル１１５の感度が低下すると判定し、ステップＳ２０２に進む。振動が検出されれば、撮像装置１００は使用者による手持ち状態であり、タッチパネルの感度低下の恐れがないため、そのまま動作を継続する。
【００３７】
ステップＳ２０２では、タッチ機能がＯＮになっているかを判定する。タッチ機能がＯＮに設定されている場合はステップＳ２０３へ進み、タッチ機能がＯＦＦに設定されている場合はタッチパネル１１５の感度低下防止の処理を行う必要がないため、そのまま動作を継続する。
【００３８】
ステップＳ２０３では、ステップＳ２０１及びＳ２０２にて、手持ち状態及びタッチ機能のＯＮが検出されたことによって、使用者に対して、タッチパネル１１５による操作を行う場合は筐体を保持するように促す、図３に示すようなガイド表示を表示装置１１２に表示する。
【００３９】
ステップＳ２０４では、ステップＳ２０３にて表示したガイドが表示された状態で、タッチ操作が検出されたかを判定する。使用者がガイド表示を見て筐体を保持していれば、タッチパネル１１５の感度は低下しないため、タッチ操作が検出されれば、筐体が保持されたことを判定することが可能である。ここでタッチ操作が検出され、使用者が筐体を保持したと判定された場合、ステップＳ２０４へ進む。
【００４０】
ステップＳ２０５では、ステップＳ２０４でタッチが検出され、使用者が筐体を保持したと判定されたことにより、ステップＳ２０３で表示したガイド表示を消し、設定されたモードに応じた通常の表示画面に戻る。
【００４１】
以上、実施例２による、静電容量方式タッチパネル１１５の感度低下防止の手法について説明した。
【００４２】
三脚４００のみならず、木製の机などの絶縁物の上に撮像装置１００が置かれた状態であれば、筐体を保持していないとタッチパネル１１５の感度は低下する。上記のように振動検出手段を用いて手持ち状態であるかを判定し、ガイド表示することで使用者に筐体を保持してタッチ操作を行うよう促すことで、筐体を保持しないことによるタッチパネル１１５の感度低下を防止することが可能となる。
【００４３】
なお、ステップＳ２０４において、ガイド表示を消すためのトリガとしてタッチ検出の有無を使用したが、歪みセンサ１１８を使用することも可能である。歪みセンサ１１８の出力値が所定の閾値を越えた時、使用者が筐体を保持したと判定し、ガイド表示を消すようにしても良い。また、ステップＳ２０３のガイド表示後、所定時間が経過したらガイド表示を消す、というような時間制御にしても良い。
【００４４】
以上、本発明の好ましい実施形態について説明したが、本発明はこれらの実施形態に限定されず、その要旨の範囲内で種々の変形及び変更が可能である。
【符号の説明】
【００４５】
１００  撮像装置、１１２  表示装置、１１３  液晶パネル表示部、
１１５  タッチパネル部、１１６  三脚検出部、１１７  振動検出部、
１１８  歪みセンサ、１２０  三脚取り付け部、２００  レンズ、４００  三脚
【図１】
2017175307.tif 000003
【図２】
2017175307.tif 000004
【図３】
2017175307.tif 000005
【図４】
2017175307.tif 000006
【図５】
2017175307.tif 000007
【図６】
2017175307.tif 000008